(57)【要約】【課題】  本発明は、ベッドの高さより掛けフトンを水平移動させることで容易に収納することを可能とした介護ベッド用布団収納装置を提供することを目的とするものである。【解決手段】  本発明の介護ベッド用布団収納装置１は、上端にフック部２が形成される左右一対の基部３と、この基部３の下端に連結枢支される面状の収納枠体部４と、この収納枠体部４と基部３とを連結する連結ベルト部５と、前記収納枠体部４の上端に、その基端が連結枢支され、先端が床面に接地されるフトン収納支持部６とから構成される。【選択図】        図９
2006271508.tif 000002
【特許請求の範囲】
【請求項１】
ベッドの側端に着脱自在とされる基部と、
該基部に対して前後方向へ回動自在な状態で下端が連結枢支される面状のフトン収納部と、
前記基部とフトン収納部との間に連結され、該フトン収納部が一定角度を持って開閉される連結ベルト部と、
前記フトン収納部上端に、一端が連結枢支され、他端が床面に接地するフトン収納支持部を備える
ことを特徴とする介護ベッド用布団収納装置。
【請求項２】
ベッドの側端に着脱自在とされる基部と、
該基部に対して前後方向へ回動自在な状態で下端が連結枢支される面状のフトン収納部と、
前記基部とフトン収納部との間に連結され、該フトン収納部が一定角度を持って開閉される連結ベルト部と、
前記フトン収納部の中途部に、一端が連結枢支され、他端が床面に接地するフトン収納支持部を備える
ことを特徴とする介護ベッド用布団収納装置。
【請求項３】
ベッドの側端に着脱自在とされる基部と、
該基部に対して前後方向へ回動自在な状態で下端が連結枢支される面状のフトン収納部と、
前記基部とフトン収納部との間に連結され、該フトン収納部が一定角度を持って開閉される連結ベルト部と、
前記基部の下端に、その下端が床面に接地する基部支持部を備える
ことを特徴とする介護ベッド用布団収納装置。
【請求項４】
前記基部の下端に、その下端が床面に接地する基部支持部を備える
ことを特徴とする請求項１または２記載の介護ベッド用布団収納装置。
【請求項５】
前記基部とフトン収納部との間のフトン収納スペースを調整できる連結ベルト部の長さ調整機構を備える
ことを特徴とする請求項１、２、３または４記載の介護ベッド用布団収納装置。
【請求項６】
前記フトン収納部がパイプによる収納枠体部より形成されると共に、該収納枠体部内にネット部を張設する
ことを特徴とする請求項１、２、３、４または５記載の介護ベッド用布団収納装置。
【請求項７】
前記基部とフトン収納部との両側端にネット部を張設する
ことを特徴とする請求項６記載の介護ベッド用布団収納装置。
【請求項８】
前記基部に、ベッドの側端に自在に係止機構を備える
ことを特徴とする請求項１、２、３、４、５、６または７記載の介護ベッド用布団収納装置。
【請求項９】
前記フトン収納支持部に、長さ調整機構を備える
ことを特徴とする請求項１、２、４、５、６、７または８記載の介護ベッド用布団収納装置。
【請求項１０】
前記基部支持部に、長さ調整機構を備える
ことを特徴とする請求項３、４、５、６、７、８または９記載の介護ベッド用布団収納装置。
【発明の詳細な説明】
【技術分野】
【０００１】
本発明は、介護ベッド用布団収納装置に関する。詳しくは介護の際に掛けフトンを一時的に収納することができる介護ベッド用収納装置に係るものである。
【背景技術】
【０００２】
近年在宅介護が増加の傾向にあり、寝たきりの状態での身体介護の際には掛けフトンを取り除いて介護を行うのが基本条件とされる。
従って介護時には掛けフトンを折り畳んで一時的に近傍の椅子に置くか、または床面に置いているのが現状である。
【０００３】
また、病院の患者用ベッドにあっては、定期的にシーツの取替えが行なわれ、このシーツの取替えの際にはフトンを取り除いて行うのが基本前提である。
従ってシーツの取替え時には、隣のベッドに一時的に置くか、または掛けフトンをベッドの端部に寄せて行っているのが現状である。
【０００４】
そこで一時的に掛けフトンを収納する手段として例えば、図１５に示すような布団干しスタンド１０１を室内において使用する場合がある。この布団干しスタンド１０１は、折り畳み式のスタンド本体の上方バー部１０２の下方にそれぞれ上方バー部１０２に平行な面内で回転させることのハンガー状の掛け具１０３を、１本の上方バー部１０２に付き２個ずつ取り付けた構成とされるものである（特許文献１参照。）。
【０００５】
【特許文献１】実開平５−６３４９３号（実施例、第１図）
【発明の開示】
【発明が解決しようとする課題】
【０００６】
しかしながら前記構成の布団干しスタンドでは室内における設置場所が必要となり、在宅介護のように住宅家屋では設置場所を確保できない問題がある。また、掛けフトンを持ち上げて、布団干しスタンドに掛ける、あるいは布団干しスタンドから掛けフトンを持ち上げながらベッドへ戻す作業は足腰に負担がかかり非常に煩雑な作業となる問題がある。
【０００７】
また、床面に掛けフトンを置く場合にはゴミなどが付きやすく、かつフトンの上げ降ろしが介護する者に肉体的に非常に負担をかける問題がある。更に病院においては前記のような布団干しスタンドを各病室に運び入れるのは煩雑な作業となり、掛けフトンを隣のベッドに一時的に置く場合には衛生上問題がある。また、掛けフトンをベッドの端部に寄せてシーツの取り替えは非常に煩雑な作業となる問題がある。
【０００８】
本発明は、以上の点に鑑みて創案されたものであって、ベッドの高さより掛けフトンを水平移動させることで容易に収納することを可能とした介護ベッド用布団収納装置を提供することを目的とするものである。
【課題を解決するための手段】
【０００９】
上記の目的を達成するために、本発明に係る介護ベッド用布団収納装置は、ベッドの側端に着脱自在とされる基部と、該基部に対して前後方向へ回動自在な状態で下端が連結枢支される面状のフトン収納部と、前記基部とフトン収納部との間に連結され、該フトン収納部が一定角度を持って開閉される連結ベルト部と、前記フトン収納部上端に、一端が連結枢支され、他端が床面に接地するフトン収納支持部を備える。
【００１０】
ここで、ベッドの側端にフトン収納部を設けることによりベッドの側端とフトン収納部との間に掛けフトンの収納スペースが確保され、被介護者は介護の際に掛けフトンをめくるようにして収納スペース内に掛けフトンを収納する、あるいは介護終了時に収納スペース内に収納された掛けフトンの掛けフトンの掛け戻しを足腰に負担をかけずに容易に行うことができ、かつフトン収納部の上端と床面との間にフトン収納支持部を設けることで掛けフトンの重量を支持してベッド端にかかる負荷を軽減させる構成とする。
【００１１】
また、上記の目的を達成するために、本発明に係る介護ベッド用布団収納装置は、ベッドの側端に着脱自在とされる基部と、該基部に対して前後方向へ回動自在な状態で下端が連結枢支される面状のフトン収納部と、前記基部とフトン収納部との間に連結され、該フトン収納部が一定角度を持って開閉される連結ベルト部と、前記フトン収納部の中途部に、一端が連結枢支され、他端が床面に接地するフトン収納支持部を備える。
【００１２】
ここで、フトン収納部の中途部と床面との間にフトン収納支持部を設けることでフトン収納部に掛けフトンが収納された際に、その重量によってベッド端にかかる負荷を軽減させることができる。
【００１３】
また、上記の目的を達成するために、本発明に係る介護ベッド用布団収納装置は、ベッドの側端に着脱自在とされる基部と、該基部に対して前後方向へ回動自在な状態で下端が連結枢支される面状のフトン収納部と、前記基部とフトン収納部との間に連結され、該フトン収納部が一定角度を持って開閉される連結ベルト部と、前記基部の下端に、その下端が床面に接地する基部支持部を備える。
【００１４】
ここで、基部の下端と床面との間に、基部支持部を設けることで、ベッド側端と床面との間で基部が支持されることになり、フトン収納部に収納される掛けフトンによる負荷が分散し、その結果ベッド側端にかかる負荷が軽減させる。
【発明の効果】
【００１５】
本発明では介護の際に掛けフトンをめくるようにして足側の側板に取り付けられる介護ベッド用布団収納装置内に収納することで容易に取り除くことができ、介護が終了した際には介護ベッド用布団収納装置内に収納された掛けフトンを引き出すようにベッド上に移動することで掛けフトンを容易に戻すことができ、これらの作業が足腰に負担をかけずに容易に行うことが可能となる。
【００１６】
また、介護ベッド用布団収納装置は通常はベッドの側板へ畳んだ状態で取り付けられているために狭い部屋であっても通行や家具などに支障をきたすことがない。
【００１７】
さらに、フトン収納部と床面との間にフトン収納支持部、あるいは基部と床面との間に基部支持部を設けることにより掛けフトンの重量による負荷が分散され、ベッドの側板にかかる負荷を軽減させることができる。
【発明を実施するための最良の形態】
【００１８】
以下、本発明の実施の形態を図面を参酌しながら説明し、本発明の理解に供する。
【００１９】
実施例１
図１は、本発明を適用した介護ベッド用布団収納装置の一例を説明するための斜視図を示す。
【００２０】
ここで示す介護ベッド用布団収納装置１は、上端にフック部２が形成される左右一対の基部３と、この基部３の下端に連結枢支される面状の収納枠体部４と、この収納枠体部４と基部３とを連結する連結ベルト部５と、前記収納枠体部４の上端に、その基端が連結枢支され、先端が床面に接地されるフトン収納支持部６とから構成される。
【００２１】
ここで、前記フトン収納支持部６は、スチールパイプにより基端側が開放状となるように長方形状に折曲形成され、その基端を収納枠体部４上端に回動自在な状態で連結枢支する。この場合に、前記フトン収納支持部６の先端は床面に接地し、収納枠体部４を支持する状態となる。また、前記フトン収納支持部６の中途部に長さ調整を自在に行える支持長さ調整部７が設けられるものである。
【００２２】
また、図２は本発明を適用した介護ベッド用布団収納装置におけるフトン収納支持部の他の例を説明するための斜視図を示す。
ここで示すフトン収納支持部６は、スチールパイプにより先端側がＴ字形状に形成され、その基端を収納枠体部４上端に回動自在な状態で連結枢支される。そしてフトン収納支持部６の中途部に長さ調整を自在に行える支持長さ調整部７が設けられるものである。
【００２３】
また、図３は本発明を適用した介護ベッド用布団収納装置におけるフトン収納支持部の他の例を説明するための斜視図を示す。
ここで示すフトン収納支持部６は、スチールパイプにより、その基端が収納枠体部４の幅長さとする長方形状に折曲形成され、その基端を収納枠体部４上端に回動自在な状態で連結枢支する。そしてフトン収納支持部６の中途部に長さ調整を自在に行える支持長さ調整部７および先端側には支持幅調整部８が設けられるものである。
【００２４】
また、図４は本発明を適用した介護ベッド用布団収納装置におけるフトン収納支持部の他の例を説明するための斜視図を示す。
ここで示すフトン収納部支持部６は、スチールパイプにより、その基端が収納枠体部４の両側端にそれぞれ回動自在な状態で連結枢支され、その中途部に長さ調整を自在に行える支持長さ調整部７が設けられる。
【００２５】
実施例２
図５は、本発明を適用した介護ベッド用布団収納装置の一例を説明するための斜視図を示す。
【００２６】
ここで示す介護ベッド用布団収納装置１は、上端にフック部２が形成される左右一対の基部３と、この基部３の下端に連結枢支される面状の収納枠体部４と、この収納枠体部４と基部３とを連結する連結ベルト部５と、前記収納枠体部４の両側中途部に、その基端が連結枢支され、先端が床面に接地されるフトン収納支持部６とから構成される。
【００２７】
ここで、前記フトン収納支持部６は、スチールパイプにより基端側が開放状となるように長方形状に折曲形成され、その基端を収納枠体部４の両側中途部に回動自在な状態で連結枢支する。この場合に、前記フトン収納支持部６の先端は床面に接地し、収納枠体部４を支持する状態となる。また、フトン収納支持部６の中途部に長さ調整を自在に行える支持長さ調整部７および先端側には支持幅調整部８が設けられるものである。
【００２８】
また、図６は本発明を適用した介護ベッド用布団収納装置におけるフトン収納支持部の他の例を説明するための斜視図を示す。
ここで示すフトン収納部支持部６は、スチールパイプにより、その基端が収納枠体部４の両側の中途部にそれぞれ回動自在な状態で連結枢支され、その中途部に長さ調整を自在に行える支持長さ調整部７が設けられる。
【００２９】
実施例３
図７は、本発明を適用した介護ベッド用布団収納装置の一例を説明するための斜視図を示す。
【００３０】
ここで示す介護ベッド用布団収納装置１は、上端にフック部２が形成される左右一対の基部３と、この基部３の下端に連結枢支される面状の収納枠体部４と、この収納枠体部４と基部３とを連結する連結ベルト部５と、前記基部３の下端両側に連結される基部支持部９より構成される。
【００３１】
ここで基部支持部９は、スチールパイプにより、基端側が開放状となるように長方形状に折曲形成され、その基端を基部３の下端両側に連結される。この場合に、前記フトン収納支持部６の先端は床面に接地し、基部３を支持する状態となる。また、基部支持部９の中途部に長さ調整を自在に行える支持長さ調整部７および先端側には支持幅調整部８が設けられるものである。
【００３２】
また、図８は本発明を適用した介護ベッド用布団収納装置における基部支持部の他の例を説明するための斜視図を示す。
ここで示す基部支持部９は、スチールパイプにより、その基端が基部３の下端両側にそれぞれ連結され、その中途部に長さ調整を自在に行える支持長さ調整部７が設けられる。
【００３３】
実施例４
図９は、本発明を適用した介護ベッド用布団収納装置の一例を説明するための斜視図を示す。
ここで示す介護ベッド用布団収納装置１は、上端にフック部２が形成される左右一対の基部３と、この基部３の下端に連結枢支される面状の収納枠体部４と、この収納枠体部４と基部３とを連結する連結ベルト部５と、前記収納枠体部４の両側中途部に、その基端が連結枢支され、先端が床面に接地されるフトン収納支持部６と、前記基部３の下端両側に連結される基部支持部９とより構成される。
【００３４】
なお、フトン収納支持部と基部支持部の形態は必ずしも図９に示す構成である必要性は無く、例えば図１と図７との組み合わせや、図４と図６との組み合わせなど種々の組み合わせが考えられる。
【００３５】
前述した構成の介護ベッド用布団収納装置１では、図１０に示すように、基部３は、ベッドの足側の側板Ａの上端よりベッド幅間隔を設けて垂下される断面角形状のスチールパイプより形成されるものである。そして基部３の上端はベッドの足側の側板Ａに係止できるように湾曲形成されたフック部２が設けられ、このフック部２に螺着される固定用ダイヤル式ネジ部１０によって側板Ａに着脱自在な構成とする。
【００３６】
また、収納枠体部４はコの字形状に折り曲げ形成される一対のスチールパイプを幅方向調整部１１によって連結されることで面状の枠体が形成されるものである。そこで収納枠体部４枠内には伸縮性に富んだネット部１２が張設されるものであり、更にこのネット部１２の略中央に沿ってフトンの荷重に耐える伸縮性のある補強ベルト１３が収納枠体部４内に渡設されるものである。
【００３７】
次に基部３と収納枠体部４との連結は図１１に示すように、基部３の下端に連結枢支ピン１４が設けられ、一方収納枠体部４の下端には連結枢支ピン１４と対向する位置に連結枢支穴１５が穿孔され、この連結枢支穴１５に連結枢支ピン１４を挿入することによって収納枠体部４は基部に対して連結枢支ピン１４を支点として前後方向への開閉が可能となるものである。
【００３８】
また、図１２に示すように、基部３と収納枠体部４の上部位置にはキャンバスにより形成される連結ベルト部１３が渡設されるものであり、この連結ベルト部１３は一端が基部３に固着され、他端側に開閉角度調整用としての連結穴１６が連結ベルト部１３の長手方向に沿って開設されるものである。そして収納枠体部４の上部側には連結ベルト受けピン１７が上下方向に沿って複数個突設されるものである。従って収納枠体部４の連結ベルト受けピン１７と連結ベルト部１３の連結穴１６との連結位置関係の調整によって収納枠体部４の開脚角度を自在に調整できる機構とするものである。
【００３９】
更に、基部３と収納枠体部４との間には、伸縮性に富んだ側面ネット部１８が張設されるものであり、この側面ネット部１８は伸縮性に富んだ素材を使用することで収納枠体部４の開閉に支障をきたさない構成とするものである。
【００４０】
また、ベッドの足側の側板Ａの上端と収納枠体部４の上端との間に留めベルト部１９Ａおよび留めベルト部１９Ｂを設けるものであり、この留めベルト部１９Ａおよび留めベルト部１９Ｂはワンタッチ式により互いの連結およびその解除を容易に行える機構とするものである。
【００４１】
ここで収納枠体部間に必ずしもネット部を張設する必要性はなく、例えば図１３に示すように収納枠体部４と基部３との間にキャンバスなどにより形成される帯体２０を一定間隔ごとに渡設する構成であっても構わない。
【００４２】
以上の構成よりなる本発明の介護ベッド用布団収納装置１では、図１４（ａ）（ｂ）（ｃ）（ｄ）に示すように、まずベッドの足側の側板Ａの横幅に応じて一対の基部３のフック部２を側板Ａの上端に係留し、固定用ダイヤル式ネジ部１０によって固定する。
【００４３】
そして基部３の間隔に応じて収納枠体部４の横幅長さを調整し、連結ベルト部１３によって収納枠体部４の開脚調整を行う。
【００４４】
ここで図１４（ａ）では、収納枠体部４の上端に連結枢支されるフトン収納支持部６の長さ調整および幅調整を行い、前記収納枠体部４が支持される状態で、その下端を床面に接地させる。
【００４５】
また、図１４（ｂ）では、収納枠体部４の中途部に連結枢支されるフトン収納支持部６の長さ調整および幅調整を行い、前記収納枠体部４が支持される状態で、その下端を床面に接地させる。
【００４６】
また、図１４（ｃ）では、基部３の両側下端に連結される基部支持部９の長さ調整および幅調整を行い、前記基部３が支持される状態で、その下端を床面に設置させる。
【００４７】
また、図１４（ｄ）では、収納枠体部４の中途部に連結枢支されるフトン収納支持部６および基部３の両側下端に連結される基部支持部９の長さ調整および幅調整を行い、前記収納枠体部４および前記基部３が支持される状態で前記フトン収納支持部６および基部３の下端を床面に設置させる。
【００４８】
このようにしてフトン収納支持部により収納枠体部、あるいは基部支持部により基部を支持することにより、フトンをフトン収納部に収納する場合にかかるベッドの側板への荷重を軽減することが可能となる。
【図面の簡単な説明】
【００４９】
【図１】実施例１における本発明を適用した介護ベッド用布団収納装置の一例を説明するための斜視図を示す。
【図２】実施例１における本発明を適用した介護ベッド用布団収納装置の他の例を説明するための斜視図を示す。
【図３】実施例１における本発明を適用した介護ベッド用布団収納装置の他の例を説明するための斜視図を示す。
【図４】実施例１における本発明を適用した介護ベッド用布団収納装置の他の例を説明するための斜視図を示す。
【図５】実施例２における本発明を適用した介護ベッド用布団収納装置の一例を説明するための斜視図を示す。
【図６】実施例２における本発明を適用した介護ベッド用布団収納装置の他の例を説明するための斜視図を示す。
【図７】実施例３における本発明を適用した介護ベッド用布団収納装置の一例を説明するための斜視図を示す。
【図８】実施例３における本発明を適用した介護ベッド用布団収納装置の他の例を説明するための斜視図を示す。
【図９】実施例４における本発明を適用した介護ベッド用布団収納装置の一例を説明するための斜視図を示す。
【図１０】本発明を適用した介護ベッド用布団収納装置における基部の側面説明図である。
【図１１】本発明を適用した介護ベッド用布団収納装置における基部と収納枠体部との連結機構の一例を示す説明図である。
【図１２】本発明を適用した介護ベッド用布団収納装置の作用状態を示す側面説明図である。
【図１３】本発明を適用した介護ベッド用布団収納装置におけるネット部の他の例を示す説明図である。
【図１４】本発明を適用した介護ベッド用布団収納装置の使用状態を示す側面説明図である。
【図１５】従来の布団干しスタンドの一例を示す説明図である。
【符号の説明】
【００５０】
１      介護ベッド用布団収納装置
２      フック部
３      基部
４      収納枠体部
５      連結ベルト部
６      フトン収納支持部
７      支持長さ調整部
８      支持幅調整部
９      基部支持部
１０    固定用ダイヤル式ネジ部
１１    幅方向調整部
１２    ネット部
１３    補強ベルト
１４    連結枢支ピン
１５    連結枢支穴
１６    連結穴
１７    連結ベルト受けピン
１８    側面ネット部
１９Ａ、１９Ｂ    留めベルト
２０    帯体
【図１】
2006271508.tif 000003
【図２】
2006271508.tif 000004
【図３】
2006271508.tif 000005
【図４】
2006271508.tif 000006
【図５】
2006271508.tif 000007
【図６】
2006271508.tif 000008
【図７】
2006271508.tif 000009
【図８】
2006271508.tif 000010
【図９】
2006271508.tif 000011
【図１０】
2006271508.tif 000012
【図１１】
2006271508.tif 000013
【図１２】
2006271508.tif 000014
【図１３】
2006271508.tif 000015
【図１４】
2006271508.tif 000016
【図１５】
2006271508.tif 000017